(57)【要約】【課題】コンセントの通電差し込み口に異物を差し込んで感電する事故を防止可能なコンセントを提供する。【解決手段】ハウジング１０及び移動板２２を備える。ハウジング１０は二つの通電差し込み口１４を有する。移動板２２は第一位置と第二位置との間を水平に移動可能なようにハウジング１０の下方に位置付けられ、かつ二つの貫通孔２４を有する。移動板２２を第一位置まで移動させる場合、移動板２２はハウジング１０の二つの通電差し込み口１４を遮断することが可能である。移動板２２を第二位置まで移動させる場合、移動板２２の二つの貫通孔２４はハウジングの二つの通電差し込み口１４に一致することが可能である。初期状態は移動板２２が第一位置に据えられて二つの通電差し込み口１４を遮断している。【選択図】図１
2010010114.tif 000002
【特許請求の範囲】
【請求項１】
二つの通電差し込み口を有するハウジングと、
第一位置と第二位置との間を水平に移動し、かつ第三位置と第四位置との間を垂直に移動可能なように前記ハウジングの下方に位置付けられ、かつ二つの貫通孔を有する移動板と、
前記移動板を前記第三位置から前記第四位置まで移動させるため、前記移動板を前記第一位置から前記第二位置まで移動させることが可能である駆動ユニットと、
前記第四位置から前記第三位置まで移動した前記移動板を、前記第二位置から前記第一位置まで移動させることが可能である復元ユニットと、
を備え、
前記移動板を前記第一位置まで移動させる場合、前記移動板は前記ハウジングの前記二つの通電差し込み口を遮断し、
前記移動板を前記第二位置まで移動させる場合、前記移動板の前記二つの貫通孔は前記ハウジングの前記二つの通電差し込み口に一致し、
前記移動板を前記第三位置まで移動させる場合、前記移動板は前記ハウジングに近付き、
前記移動板を前記第四位置まで移動させる場合、前記移動板は前記ハウジングから遠く離れることを特徴とするコンセント。
【請求項２】
前記移動板を前記第四位置から前記第三位置まで移動させるための弾力を提供可能な弾性ユニットを備えることを特徴とする請求項１に記載のコンセント。
【請求項３】
前記移動板は、二つの突出部を有し、前記移動板が前記第一位置と前記第三位置とに据えられる時、前記二つの突出部は前記ハウジングの前記通電差し込み口の中に位置付けられることを特徴とする請求項１に記載のコンセント。
【請求項４】
前記二つの突出部が前記ハウジングの前記通電差し込み口の中に位置付けられる時、前記駆動ユニットは前記移動板に接触せず、
前記二つの突出部と前記ハウジングの前記通電差し込み口とが分離する時、前記駆動ユニットは前記移動板に接触することを特徴とする請求項３に記載のコンセント。
【請求項５】
前記駆動ユニットは、第一駆動斜面を有し、前記移動板は前記駆動ユニットの前記第一駆動斜面に対応する第二駆動斜面を有することを特徴とする請求項１に記載のコンセント。
【請求項６】
前記移動板は、第一溝を有し、前記第一溝は一側に第二駆動斜面を有し、前記駆動ユニットは前記第一溝を貫通することによって前記駆動ユニットの前記第一駆動斜面を前記移動板の前記第二駆動斜面に対応させることを特徴とする請求項５に記載のコンセント。
【請求項７】
前記復元ユニットは、第一復元斜面を有し、前記移動板は前記復元ユニットの前記第一復元斜面に対応する第二復元斜面を有することを特徴とする請求項１に記載のコンセント。
【請求項８】
前記移動板は、第二溝を有し、前記第二溝は一側に第二復元斜面を有し、前記復元ユニットは前記第二溝を貫通することによって前記復元ユニットの前記第一復元斜面を前記移動板の前記第二復元斜面に対応させることを特徴とする請求項７に記載のコンセント。
【請求項９】
基座を有し、前記基座は陥没部を有し、
前記移動板は前記陥没部の中に装着され、かつ前記陥没部に沿って前記第一位置と前記第二位置との間を移動可能であり、
前記基座と前記移動板とは前記第三位置と前記第四位置との間を移動可能であることを特徴とする請求項１に記載のコンセント。
【発明の詳細な説明】
【技術分野】
【０００１】
本発明はコンセントに関し、特に児童の誤触による不慮の事故を防止可能なコンセントに関する。
【背景技術】
【０００２】
日常生活においてプラグとコンセントとを使用するのはごく普通なことである。一般的には、コンセントは絶縁材の本体を有し、表に二つまたは三つの通電差し込み口を有し、通電差し込み口は内部に電極を有する。プラグは二つまたは三つのブレードを有し、ブレードはコンセントの通電差し込み口に差し込まれ、その内部の電極に接触する。
家庭内での不慮の事故の中には、児童が鉄線または別の異物をコンセントの通電差し込み口に差し込んで感電を引き起こすような事故がよくある。児童の不慮の感電を防止するには、市販の保護用キャップを購入することが一番よく採用されている保護方法である。このような保護用キャップはプラスチックなどの絶縁材料から構成され、その内側にコンセントの通電差し込み口に差し込まれる二つのブレードを有する片体である。ブレードがコンセントの通電差し込み口に差し込まれると、保護用キャップはコンセントの通電差し込み口を完全に遮蔽するため、児童が直接コンセントに接触することを防止することが可能である。コンセントを使用する必要がある場合、保護用キャップの上のリングを引っ張れば保護用キャップを引き抜くことが可能である。しかしながら、大人は電器使用後、再び保護用キャップをコンセントに差し込むことを忘れたり、保護用キャップを無くしてしまったりするため、コンセントを露出させて危険を引き起こすことがよくある。また物心のついた児童は保護用キャップの外し方をすぐ覚えるため、このような装置はあまり効かなくなる。
【発明の開示】
【発明が解決しようとする課題】
【０００３】
本発明の主な目的は、コンセントの通電差し込み口に異物を差し込んで感電する事故を防止可能なコンセントを提供することである。
【課題を解決するための手段】
【０００４】
上述の目的を達成するために、本発明によるコンセントはハウジング及び移動板を備える。ハウジングは二つの通電差し込み口を有する。移動板は第一位置と第二位置との間を水平に移動可能なようにハウジングの下方に位置付けられ、かつ二つの貫通孔を有する。移動板を第一位置まで移動させる場合、移動板はハウジングの二つの通電差し込み口を遮断することが可能である。移動板を第二位置まで移動させる場合、移動板の二つの貫通孔はハウジングの二つの通電差し込み口に一致することが可能である。初期状態は移動板が第一位置に据えられて二つの通電差し込み口を遮断している。プラグを差し込む際、移動板を第二位置まで移動させればプラグをスムーズに差し込むことが可能である。
【発明を実施するための最良の形態】
【０００５】
（一実施形態）
本発明の構造と特徴を説明するため、以下、本発明の一実施形態を図面に基づいて説明する。
図１から図３に示すように、本発明の一実施形態によるコンセントは、ハウジング１０、移動板２２、基座３６、底座４４及び二つの弾性ユニット５２を備える。
【０００６】
ハウジング１０は、頂面１２を有し、その上に二つの通電差し込み口１４を有する。頂面１２は裏側に復元ユニット１６を有する。復元ユニット１６は第一復元斜面１８を有する三角形の板体である。ハウジング１０は両側にフック部２０を有し、フック部２０はハウジング１０を壁などの対象物（図示せず）に固定することが可能である。
移動板２２は、二つの貫通孔２４及び二つの突出部２６を有する。突出部２６は貫通孔２４と同じ側に位置付けられ、図中の左側に位置付けられる。移動板２２は中央に位置する二つの第一溝２８と二つの第一溝２８の間に位置する第二溝３０とを有する。二つの第一溝２８は左側に駆動斜面３２を別々に有し、第二溝３０は右側に第二復元斜面３４を有する。
【０００７】
基座３６は、頂面に陥没部３８を有する。移動板２２は左右かつ水平に移動可能なように陥没部３８に装着される。基座３６は二つの貫通孔４０と二つの貫通孔４０の間に位置する三つの穿孔４２とを有する。
底座４４は、二つの貫通孔４６と二つの貫通孔４６の間に位置する二つの駆動ユニット４８とを有する。駆動ユニット４８は外部に第一駆動斜面５０を有する。
【０００８】
図４に示すように、移動板２２はハウジング１０の頂面１２の下方に位置付けられる。復元ユニット１６は第二溝３０を貫通する。復元ユニット１６の第一復元斜面１８は第二溝３０内の第二復元斜面３４に対応する。基座３６は移動板２２の下方に位置付けられる。三つの穿孔４２は移動板２２の第一溝２８および第二溝３０に対応する。二つの貫通孔４０はハウジング１０の通電差し込み口１４に一致する。底座４４は基座３６の下方に位置付けられる。二つの駆動ユニット４８は基座３６の穿孔４２を貫通して移動板２２の第一溝２８に入り込むため、二つの駆動ユニット４８の第一駆動斜面５０は移動板２２の第二駆動斜面３２に対応することが可能である。二つの弾性ユニット５２は基座３６と底座４４との間に装着されるＵ形の弾性片である。
【０００９】
図４と図５に示すのは本発明の一実施形態によるコンセントの初期状態である。そのうち移動板２２は基座３６の右側の第一位置に位置付けられる。移動板２２と基座３６とはハウジング１０の第三位置に近い。移動板２２の突出部２６はハウジング１０の二つの通電差し込み口１４の中に位置付けられる。移動板２２の二つの第二駆動斜面３２は底座４４の駆動ユニット４８の第一駆動斜面５０に接触せず、その上方に位置付けられる。このときハウジング１０の二つの通電差し込み口１４は移動板２２によって遮断される。また移動板２２を移動させるには、二つの突出部２６を同時に押さなければならないため、そのうちの一つの突出部２６のみを押す場合、移動板２２は力の平衡を取れない状態となり、移動することができない。従って、児童は鉄線または別の異物を通電差し込み口１４に差し込むことができない。
【００１０】
本発明の一実施形態によるコンセントにプラグ５４を差し込む場合、まずプラグ５４の二つのブレード５６を通電差し込み口１４に差し込む。このとき図６に示すように、移動板２２と基座３６とは二つの突出部２６と二つの通電差し込み口１４とを分離させるまで下に押されるため、移動板２２の二つの第二駆動斜面３２は二つの駆動ユニット４８の第一駆動斜面５０に接触することが可能である。
【００１１】
図７に示すように、プラグ５４に力を持続的に施せば、移動板２２と基座３６とは持続的に下に押される。かつ移動板２２の二つの第二駆動斜面３２と二つの駆動ユニット４８の二つの第一駆動斜面５０とが作用するため、移動板２２は基座３６に対し左を向いて水平移動する。移動板２２と基座３６とを下向きに第四位置まで移動させ、かつ移動板２２を第二位置まで水平移動させる場合、移動板２２の二つの貫通孔２４は二つの通電差し込み口１４に一致し、プラグ５４の二つのブレード５６は移動板２２の貫通孔２４と底座４４の貫通孔４６とを貫通し、そして底座４４の下方の二つの電極５８に入り込むことが可能であるため、電力は二つのブレード５６に伝導されることが可能である。
【００１２】
図８に示すように、プラグ５４が差し込まれた場合、二つの弾性ユニット５２が圧縮状態となる。このとき二つのブレード５６は移動板２２の二つの貫通孔２４を貫通し、復元ユニット１６の第一復元斜面１８は移動板２２の第二復元斜面３４に接触するため、移動板２２と基座３６とは現在地にロックされる。プラグ５４が引き抜かされると、二つの弾性ユニット５２は移動板２２と基座３６とを跳ね上げ、第四位置から第三位置まで復元される。このとき復元ユニット１６の第一復元斜面１８と移動板２２の第二復元斜面３４とが作用するため、移動板２２は第二位置から第一位置まで移動することによって本発明の一実施形態によるコンセントを図４に示した初期状態に復元させることが可能である。
【００１３】
上述したとおり、本発明によるコンセントが未使用の際、通電差し込み口は移動板によって遮断される。コンセントを使用する際、別の動作を取る必要なく通常のとおりプラグを差し込みさえすればよい。プラグを引き抜くと、移動板は通電差し込み口を自動的に遮断するため、児童が異物を差し込んで感電を引き起こすような不慮の事故を防止することが可能である。
【図面の簡単な説明】
【００１４】
【図１】本発明の一実施形態によるコンセントを示す分解斜視図である。
【図２】本発明の一実施形態によるコンセントを示す斜視図である。
【図３】本発明の一実施形態によるコンセントを示す平面図である。
【図４】図３の４-４線に沿う断面図である。
【図５】図３の５-５線に沿う断面図である。
【図６】本発明の一実施形態によるコンセントにプラグを差し込む時の状態を示す断面図である。
【図７】本発明の一実施形態によるコンセントにプラグを完全に差し込んだ状態を示す断面図である。
【図８】本発明の一実施形態によるコンセントの復元ユニットの作動状態を示す断面図である。
【符号の説明】
【００１５】
１０：ハウジング、１２：頂面、１４：通電差し込み口、１６：復元ユニット、１８：第一復元斜面、２０：フック部、２２：移動板、２４：貫通孔、２６：突出部、２８：第一溝、３０：第二溝、３２：第二駆動斜面、３４：第二復元斜面、３６：基座、３８：陥没部、４０：貫通孔、４２：穿孔、４４：底座、４６：貫通孔、４８：駆動ユニット、５０：第一駆動斜面、５２：弾性ユニット、５４：プラグ、５６：ブレード、５８：電極
【図１】
2010010114.tif 000003
【図２】
2010010114.tif 000004
【図３】
2010010114.tif 000005
【図４】
2010010114.tif 000006
【図５】
2010010114.tif 000007
【図６】
2010010114.tif 000008
【図７】
2010010114.tif 000009
【図８】
2010010114.tif 000010